(57)【要約】      （修正有）【課題】建築構造体の主鉄筋の拡大を阻止する杭鉄筋拡大の予防構造を提供する。【解決手段】杭は少なくとも１つの主柱９００及び主柱９００の配列を包囲させる複数の主鉄筋９１０により構成される。杭鉄筋拡大の予防構造は湾曲する鉄筋により形成される鉄筋拡大予防を備え、前記鉄筋拡大予防は２つの連結部１１０及び制限部１２０を更に含み、また、２つの連結部１１０は鉄筋拡大予防の二端にそれぞれ位置され、主柱９００にそれぞれ連結され、制限部１２０は鉄筋拡大予防の湾曲箇所の内側縁の複数の主鉄筋９１０の内の何れか１つに巻装され、巻装される主鉄筋９１０と主柱９００の間との距離を制限させて杭の主鉄筋９１０の拡大を予防させる。【選択図】図３
0003181078.tif 000002
【実用新案登録請求の範囲】
【請求項１】
少なくとも１つの主柱及び前記主柱の配列を包囲させる複数の主鉄筋の杭で構成されるこれら前記主鉄筋の拡大の予防に用いられる杭鉄筋拡大の予防構造であって、
湾曲する鉄筋によりそれぞれ形成される複数の鉄筋拡大予防と、
前記鉄筋拡大予防の湾曲箇所の内側縁に位置され、これら前記主鉄筋の内の何れか１つに巻装され、巻装される前記主鉄筋と前記主柱との間の距離を制限させる制限部を備え、
前記鉄筋拡大予防は、
前記鉄筋拡大予防の二端にそれぞれ位置され、かつ前記主柱にそれぞれ連結される２つの連結部を更に含む事を特徴とする杭鉄筋拡大の予防構造。
【請求項２】
前記杭は、フレーム形に形成され、これら前記主鉄筋と交叉され、前記杭の軸方向に沿い配列される複数のあばら筋を更に備え、前記制限部は前記主鉄筋とこれら前記あばら筋との内の何れか１つの交叉箇所に更に巻装される事を特徴とする、請求項１に記載の杭鉄筋拡大の予防構造。
【請求項３】
前記制限部は前記鉄筋に巻き付き環状を形成させる事を特徴とする、請求項１に記載の杭鉄筋拡大の予防構造。
【考案の詳細な説明】
【技術分野】
【０００１】
本考案は、建築構造体の杭或いは横梁の主鉄筋、あばら筋の拡大予防構造に関する。
【背景技術】
【０００２】
図１の従来の杭は複数の主鉄筋９１０が主柱９００を既定の間隔で包囲させて配列され、フレーム形のあばら筋９２０を杭の軸方向に沿わせて形成させ、あばら筋９２０と主鉄筋９１０との交叉箇所は、ワイヤによる縛り付けや、溶接等の作業により対向する位置に固定させる。このほか、主鉄筋９１０の間には主鉄筋が杭から放射状に拡大するのを予防する補強鉄筋９３０が縛着され、主柱９００には複数の補強釘９４０が突設される。主柱９００と主鉄筋９１０及びあばら筋９２０との間にはコンクリート９５０が充填され、主鉄筋９１０、あばら筋９２０、補強鉄筋９３０、及び補強釘９４０を被覆させる。コンクリート９５０が固まった後対向する位置に杭を形成させる。
【考案の概要】
【考案が解決しようとする課題】
【０００３】
しかしながら、前述した従来の技術から見ると、全ての主鉄筋９１０に補強鉄筋９３０が適切に設置されるわけではない。コンクリート等を主鉄筋９１０に充填させ圧力を加える状況では、これらの補強鉄筋９３０を設置させない主鉄筋９１０では、あばら筋９２０と交差する位置をあばら筋９２０により拡大を予防させるが、但し隣接する２つのあばら筋９２０の間に位置される主鉄筋９１０は、主鉄筋９１０が杭の外側へ向かって湾曲するのを制限させる如何なる部材をも設けず、このためこの箇所の主鉄筋９１０は拡大してしまう可能性を尚も有する。なお、もし小さめの間隔でより多くのあばら筋９２０を設置させるならば上述の問題を改善させはするが、より多くのあばら筋９２０を使用するために材料コストを増加させるといった問題があった。
【０００４】
そこで、本発明者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、主鉄筋の拡大を阻止する杭主鉄筋拡大の予防構造を提供することを主目的とする。
【課題を解決するための手段】
【０００６】
上述した課題を解決し、目的を達成するために、本考案に係る杭主鉄筋拡大の予防構造は、少なくとも１つの主柱及び前記主柱の配列を包囲させる複数の主鉄筋の杭で構成されるこれら前記主鉄筋の拡大の予防に用いられる杭鉄筋拡大の予防構造であって、
湾曲する鉄筋によりそれぞれ形成される複数の鉄筋拡大予防と、
前記鉄筋拡大予防の湾曲箇所の内側縁に位置され、これら前記主鉄筋の内の何れか１つに巻装され、巻装される前記主鉄筋と前記主柱との間の距離を制限させる制限部を備え、
前記鉄筋拡大予防は、
前記鉄筋拡大予防の二端にそれぞれ位置され、かつ前記主柱にそれぞれ連結される２つの連結部を更に含むことを特徴とする。
【考案の効果】
【０００７】
本考案によれば、主鉄筋拡大の阻止が得られる。
【図面の簡単な説明】
【０００８】
【図１】公知の杭による実施形態を説明する概略図である。
【図２】本考案の杭鉄筋拡大の予防構造による杭実施形態を説明する概略図である。
【図３】図２による杭を説明する傾斜概略図である。
【考案を実施するための形態】
【０００９】
以下、本考案の実施形態を図面に基づいて説明する。なお、本考案は、以下に説明する実施形態に限定されるものではない。
まず、本考案の杭主鉄筋拡大の予防構造の一実施形態について説明する。
（一実施形態）
本考案の一実施形態の構成を図１から図４に示す。本考案の実施形態に係る杭主鉄筋拡大の予防構造は、主体筋９００、複数の主鉄筋９１０、複数のあばら筋９２０、及び複数の鉄筋拡大予防１００により構成され、前記主体筋９００は管状の柱体であり、環囲に複数の鉄筋拡大予防１００を配列させて設置させ、前記主鉄筋９１０は柱体と主柱９００との間に間隔を形成させ、包囲させる主柱９００の環囲に整列させる。前記あばら筋９２０は固持部材であり、複数の主鉄筋９１０の間に設置され、前記鉄筋拡大予防１００は鉄筋が湾曲されて形成され、２つの連結部１１０及び制限部１２０を備え、２つの連結部１１０は鉄筋拡大予防１００の二端にそれぞれ位置され、２つの連結部１１０は主柱９００にそれぞれ連結される。制限部１２０は鉄筋拡大予防１００の湾曲箇所の内側縁に位置され、複数の主鉄筋９１０の内の何れか１つに巻装され、巻装される主鉄筋９１０と主柱９００との間の距離を制限させ、コンクリート等が主鉄筋９１０に充填されて圧力が加えられる状況でも主鉄筋９１０の拡大を予防させる。
【００１０】
前記主柱９００は中空長矩形の柱体を形成させ、柱体の環囲には複数の穿孔を設置させ、前記穿孔は鉄筋拡大予防１００に穿設され、螺旋釘或いは溶接により固持させる。主柱９００の外環には対向する間隔が設けられ、主柱９００を中心として巻き付いて設置される複数の主鉄筋９１０を整列させ、環設される主鉄筋９１０の外囲には複数のあばら筋９２０が設けられ、前記あばら筋９２０は垂直方向に適度な間隔を置いて設置され、溶接或いは縛り付けにより複数の主鉄筋９１０に固持される。主柱９００の間に設置される穿孔は鉄筋拡大予防１００に対応させ、主柱９００及び主鉄筋９１０及びあばら筋９２０の設置完了後、前記湾曲する鉄筋拡大予防１００の制限部１２０は主鉄筋９１０及びあばら筋９２０に巻着させて当着させ、連結部１１０により主柱９００の穿孔の間に固持され、鉄筋拡大予防１００により固持される主鉄筋９１０及びあばら筋９２０を主柱９００に緊密に引張り、主鉄筋９１０を中心に集中させ、主鉄筋が拡大するのを予防する。鉄筋拡大予防１００の設置完了後、主鉄筋９１０の外環には適度な間隔を置いて包囲させる板体を設置させ、前記板体と主体柱９００との間にはコンクリート９５０を注入させ、コンクリート９５０を完全に充満させて主鉄筋体９００、主鉄筋９１０、あばら筋９２０、及び鉄筋拡大予防１００を被覆させ、コンクリート９５０が固まると杭が完成する。
【００１１】
以上、本考案の実施形態について図面を参照して詳述したが、具体的な構成はこの実施形態に限られるものではなく、本考案の要旨を逸脱しない範囲の設計変更等も含まれる。
【符号の説明】
【００１２】
１００      鉄筋拡大予防
１１０      連結部
１２０      制限部
９００      主柱
９１０      主鉄筋
９２０      あばら筋
９３０      補強鉄筋
９４０      スタッド溶接
９５０      コンクリート
【図１】
0003181078.tif 000003
【図２】
0003181078.tif 000004
【図３】
0003181078.tif 000005